(57)【要約】      （修正有）【課題】懐中電灯を使用する場合、手で持たなくても使用でき、光の方向を自由に変えられる懐中電灯収納ケース付バンドを提供する。【解決手段】手首に巻くバンド１の外側表面に、懐中電灯を入れるための懐中電灯収納ケース２を設けたことを特徴とする。前記バンドには穴４が設けられ、前記穴に挿通する軸３と、前記軸の一方には、前記バンドの裏側に突出し、前記穴より大きい円形状部品５を備え、前記軸の他方は前記懐中電灯収納ケースと一体になっており、前記懐中電灯収納ケースは前記軸によって自由に回転出来ることを特徴とする。【選択図】図２
0003186829.tif 000002
【実用新案登録請求の範囲】
【請求項１】
手首に巻く１のバンドに懐中電灯を入れるための２の懐中電灯収納ケースを設けることを特徴とする手首式懐中電灯収納ケース付バンド。
【請求項２】
前記２の懐中電灯収納ケース２は３の軸によって自由に回転出来ることを特徴とする請求項１記載の手首式懐中電灯収納ケース付バンド。
【考案の詳細な説明】
【技術分野】
【０００１】  本考案は懐中電灯を手で持って使用するのではなく、手首に巻く１のバンドに懐中電灯を入れるための２の懐中電灯収納ケースを設けて、手で持たなくても懐中電灯を使用できるようにしたものである。
【背景技術】
【０００２】  従来は手で持って懐中電灯を使用していた。
【考案の概要】
【考案が解決しようとする課題】
【０００３】    手で持って懐中電灯を使用すると両手を自由に使えなくて不便であった。本考案は手首に巻いた１のバンドに懐中電灯を収納するための２の懐中電灯収納ケースを設けて手を使わずに懐中電灯の使用を可能にしたものである。
【課題を解決するための手段】
【０００４】  手首に巻く１のバンドは、ゴムや糸で編んだ布状になっているため、伸び縮みが自由にできるので、手首の太い人、細い人に合わせて１のバンドの両端に７のマジックテープなどを用いて、その人の寸法に一度合わせて決めれば、一々手首から１のバンドを外さなくても、そのまま使用することができ便利である。又１のバンドに設ける２の懐中電灯収納ケースは１のバンドに設けた４の穴を通して１のバンドの表と裏に３の軸で繋がるようになっており裏側の３の軸には抜け防止のための４の穴より大きい円形状部品を接着剤などで固定してあるので１のバンドから抜けることはない。
【考案の効果】
【０００５】  １のバンドは布状で出来ているため、２の収納ケースは４の穴に通した３の軸によって自由に回転でき、どの方向にも懐中電灯の光を向けることが可能であり、歩く時の光の角度、近くの物を見る時の光の角度、遠くを見る時の光の角度など自由に変えることが出来る。手首に１のバンドは巻いてあるため手首に沿って３６０度１のバンドを回す事が出来る。
【図面の簡単な説明】
【０００６】
【図１】  本考案の実施の形態を示す正面図である。
【図２】  本考案の断面図である。
【考案を実施するための最良の形態】
【０００７】  以下、添付図面に従って本考案の形態例を説明する。１は手首に巻くバンド２は懐中電灯を収納するため設けた懐中電灯収納ケースである。３は軸で２の懐中電灯収納ケースと一体になっており４は１のバンドに開けた穴で４の穴を通じて３の軸は１のバンドの裏側に出ており５は円形状部品で裏側に出た３の軸と接着剤などで固定しており５の円形状部品は４の穴より大きく出来ているため２の懐中電灯収納ケースが１のバンドから抜ける事はない。１のバンドに開けた４の穴に通してある３の軸は１のバンドが布状で出来ているため自由に３６０度回転することができて２の懐中電灯収納ケースに懐中電灯を入れてスイッチを入れて点灯すれば３６０度どの方向にも光を向けられる。１のバンドは手首に巻かっているので手首に沿って３６０度回転可能でどの方向にでも照らすことが出来る。
２の懐中電灯収納ケース３の軸５の円形状部品はプラスチックで出来るため金型によって一体加工出来る。６は予備の電池を入れておくための予備電池ケースである。【０００８】  本考案の一実施例は上述の如き構成からなるものであるから手で持たなくても懐中電灯を使用することができ両手を自由に使えるので便利である。
【符号の説明】
【０００９】  １．バンド
２．懐中電灯収納ケース
３．軸
４．穴
５．円形状部品
６．予備電池ケース
７．マジックテープ
【図１】
0003186829.tif 000003
【図２】
0003186829.tif 000004
【手続補正書】
【提出日】平成25年7月14日(2013.7.14)
【手続補正１】
【補正対象書類名】実用新案登録請求の範囲
【補正対象項目名】全文
【補正方法】変更
【補正の内容】
【実用新案登録請求の範囲】
【請求項１】
手首に巻くバンド（１）の外側表面に、懐中電灯を入れるための懐中電灯収納ケース（２）を設けたことを特徴とする手首式懐中電灯収納ケース付バンド。
【請求項２】
前記バンドには穴（４）が設けられ、前記穴に挿通する軸（３）と、前記軸の一方には、前記バンドの裏側に突出し、前記穴より大きい円形状部品（５）を備え、前記軸の他方は前記懐中電灯収納ケースと一体になっており、前記懐中電灯収納ケースは前記軸によって自由に回転出来ることを特徴とする請求項１記載の手首式懐中電灯収納ケース付バンド。
【手続補正２】
【補正対象書類名】明細書
【補正対象項目名】全文
【補正方法】変更
【補正の内容】
【考案の詳細な説明】
【技術分野】
【０００１】  本考案は懐中電灯を手で持って使用するのではなく、手首に巻く１のバンドに懐中電灯を入れるための２の懐中電灯収納ケースを設けて、手で持たなくても懐中電灯を使用できるようにしたものである。
【背景技術】
【０００２】  従来は手で持って懐中電灯を使用していた。
【考案の概要】
【考案が解決しようとする課題】
【０００３】    手で持って懐中電灯を使用すると両手を自由に使えなくて不便であった。本考案は手首に巻いた１のバンドに懐中電灯を収納するための２の懐中電灯収納ケースを設けて手を使わずに懐中電灯の使用を可能にしたものである。
【課題を解決するための手段】
【０００４】  手首に巻く１のバンドは、ゴムや糸で編んだ布状になっているため、伸び縮みが自由にできるので、手首の太い人、細い人に合わせて１のバンドの両端に７の面ファスナーなどを用いて、その人の寸法に一度合わせて決めれば、一々手首から１のバンドを外さなくても、そのまま使用することができ便利である。又１のバンドに設ける２の懐中電灯収納ケースは１のバンドに設けた４の穴を通して１のバンドの表と裏に３の軸で繋がるようになっており裏側の３の軸には抜け防止のための４の穴より大きい円形状部品を接着剤などで固定してあるので１のバンドから抜けることはない。
【考案の効果】
【０００５】  １のバンドは布状で出来ているため、２の収納ケースは４の穴に通した３の軸によって自由に回転でき、どの方向にも懐中電灯の光を向けることが可能であり、歩く時の光の角度、近くの物を見る時の光の角度、遠くを見る時の光の角度など自由に変えることが出来る。手首に１のバンドは巻いてあるため手首に沿って３６０度１のバンドを回す事が出来る。
【図面の簡単な説明】
【０００６】
【図１】  本考案の実施の形態を示す正面図である。
【図２】  本考案の断面図である。
【考案を実施するための最良の形態】
【０００７】  以下、添付図面に従って本考案の形態例を説明する。１は手首に巻くバンド２は懐中電灯を収納するため設けた懐中電灯収納ケースである。３は軸で２の懐中電灯収納ケースと一体になっており４は１のバンドに開けた穴で４の穴を通じて３の軸は１のバンドの裏側に出ており５は円形状部品で裏側に出た３の軸と接着剤などで固定しており５の円形状部品は４の穴より大きく出来ているため２の懐中電灯収納ケースが１のバンドから抜ける事はない。１のバンドに開けた４の穴に通してある３の軸は１のバンドが布状で出来ているため自由に３６０度回転することができて２の懐中電灯収納ケースに懐中電灯を入れてスイッチを入れて点灯すれば３６０度どの方向にも光を向けられる。１のバンドは手首に巻かっているので手首に沿って３６０度回転可能でどの方向にでも照らすことが出来る。
２の懐中電灯収納ケース３の軸５の円形状部品はプラスチックで出来るため金型によって一体加工出来る。６は予備の電池を入れておくための予備電池ケースである。【０００８】  本考案の一実施例は上述の如き構成からなるものであるから手で持たなくても懐中電灯を使用することができ両手を自由に使えるので便利である。
【符号の説明】
【０００９】    １．バンド
２．懐中電灯収納ケース
３．軸
４．穴
５．円形状部品
６．予備電池ケース
７．面ファスナー